(57)【要約】      （修正有）【課題】補給口の位置・寸法が違うものでも簡単に遊技機の交換作業が容易迅速にできる遊技機のメダル補給路との接続構造を提供する。【解決手段】遊技機Ｐの背面に設けた補給口からメダル補給路２の先端の補給ノズル２１を挿入して同補給ノズルから遊技機Ｐ内のメダルホッパーへ補給するものにおいて、遊技機Ｐの交換の為の遊技機Ｐの前後移動操作のみでメダル補給路２との切離しと接続ができて、遊技機の交換を迅速に出来る。遊技機Ｐの設置台ＳＴに補給ノズル２１の取付基部を遊技機Ｐの設置位置を規制する位置規制枠体３の後方位置にある取付ベースを介して支持する支持構造体４を設け、同支持構造体の取付ベースは補給ノズル２１の先端部分の挿入部分２１１が遊技機Ｐが設置位置にあれば下向きになるように、遊技機Ｐが設置位置より前方にある場合は水平となるように取付ベースは傾動自在とした。【選択図】図３
2019050933.tif 000002
【特許請求の範囲】
【請求項１】
設置台上にメダルを用いる遊技機の設置の左右位置を規制する左右面板と，設置の前後位置を規制する背面板と，底面板とを備えた前面を開放した位置規制枠体を固設し、前記位置規制枠体の背後上方位置にメダルを遊技機へ供給するメダル供給ラインを設け、遊技機のハウジングの背面にメダルを取り込むための補給口を開口した遊技機を前面から位置規制枠体内に深く嵌合して遊技機を所定の設置位置に設置し、前記メダル供給ラインのメダルを設置された遊技機内のメダルホッパーへ送り込むメダル補給路を設け、同メダル補給路の先端部には遊技機の背面の前記補給口から挿入されてその先端に遊技機内のメダルホッパーへメダルを吐出するノズル口を有する補給ノズルを取付けていて、同補給ノズルのメダル補給路との取付基端部を前記位置規制枠体の後方位置で安定的に支持する支持構造体を設置台上に設け、
しかも同支持構造体は支持する補給ノズルの前記取付基端部の位置を上下高さ調整可能に且つ左右位置調整可能に支持でき、更に前記取付基端部と支持構造体との取付構造は補給ノズルの前記補給口から挿入される挿入部分の方向が略水平と斜め下向に変向可能な構造とし、遊技機が位置規制枠体に深く嵌合されず遊技機がその設置位置にない状態では補給ノズルの挿入部分は設置台の設置面と平行な略水平となるように保持され、遊技機の設置台上での前後移動に対して前記略水平な挿入部分は遊技機の背面の補給口の内側で略水平に出入でき、前記取付構造は遊技機が位置規制枠体に深く嵌合した設置位置にある状態では遊技機のハウジングの背面の一部が前記取付基端部又は補給ノズルの基端部分を押圧して補給ノズルの挿入部分の挿入方向を斜め下向きにしてノズル口からのメダルがメダルホッパーへ吐出できる下向きの角度に変向する構造とし、加えて前記位置規制枠体に深く嵌合された状態の遊技機をその設定位置から前方に引出されないように遊技機の移動を防止する固定手段を備え、
設置台上の遊技機の交換作業において固定手段を解除して遊技機を位置規制枠体の深い嵌合から外れた状態にすると補給ノズルの挿入部分が補給口に対して略水平に挿入される状態となって、補給ノズルの挿入部分が遊技機の補給口の口縁外周と接触することなく遊技機を前後移動できて交換作業を容易としたことを特徴とする、遊技機とメダル補給路との接続構造。
【請求項２】
前記支持構造体の構造及び取付基端部との取付構造が、設置台に立設した左右の一対の主柱と，同主柱に沿って上下摺動して所定高さで係止できる上下カーソルと，左右の主柱の同じ高さの位置の各上下カーソル間を連接する水平部材と，同水平部材に沿って摺動して所定左右位置で係止できる左右スライド台と，補給ノズルの前記取付基端部とその上流側補給路部分とを傾斜状態で固着する取付ベースと，同取付ベースを前記左右スライド台に弾支状態にするバネ材とから構成され、取付ベースが遊技機のハウジングの背面の一部から加圧されない状態では前記バネ材は補給ノズルの挿入部分を略水平になるように保持し、しかも遊技機が位置規制枠体に深く嵌合する位置では同遊技機のハウジングの背面の一部が前記バネ材を加圧して、取付基端部及び取付ベースを傾斜状態から垂直方向に回動させて補給ノズルの挿入部分を斜め下方に傾いた状態にしてメダルを吐出できる構造とする、請求項１記載の遊技機とメダル補給路との接続構造。
【請求項３】
前記水平部材が左右の上下カーソルと間で前後方向に所定範囲移動可能に取付けられ、しかも前記水平部材の左右端部と上下カーソルの間に前記水平部材を前方へ付勢するスライド用バネ材を介在させ、更に前記取付基端部の前部に遊技機のハウジングの背面の加圧を受け止める受圧板を取付けて、前記取付基端部の取付構造が遊技機側の加圧で破損することなく滑らかに回動できる構造とした、請求項２記載の遊技機とメダル補給路との接続構造。
【請求項４】
支持構造体が設置位置規制枠体の後部に連結され一体化された、請求項１〜３いずれか記載の遊技機とメダル補給路との接続構造。
【請求項５】
主柱が断面コ字状のチャンネル材で、同主柱の前面部に所定ピッチで係止孔とその高さを示す目盛を設け、主柱の係止孔に爪先が挿入して上下カーソルを係止できる係止爪を係止孔に挿入する方向にバネで付勢するように上下カーソルの外面に軸支した、請求項１〜４いずれか記載の遊技機とメダル補給路との接続構造。
【請求項６】
固定手段が、遊技機の上方にある島の梁部材に垂直なねじ軸を軸着し、同ねじ軸を回転させてその下端を下方へ移動させて遊技機の天井面に圧接させることで遊技機の前方移動を防止し、前記ねじ軸を反対方向に回転させると遊技機の前方移動を可能とする構造である、請求項１〜５いずれか記載の遊技機とメダル補給路との接続構造。
【請求項７】
固定手段が、前記支持構造体の上部に一端が連結されて前方に折曲してその前面が遊技機の天井面の上方に延びた係止板を設け、同係止板の前面に垂直なねじ軸を軸着し、同ねじ軸を回転させてその下軸を下方へ移動させて遊技機の天井面に圧接させることで遊技機の前方移動を防止し、前記ねじ軸を反対方向に回転させると遊技機の前方移動を可能とする構造である、請求項１〜５いずれか記載の遊技機とメダル補給路との接続構造。
【請求項８】
前記設置台が遊技場の複数の遊技機を列設する島の機器設置用の長い設置台であり、同設置台の前後それぞれの側に背中合せに配置した遊技機を島の長手方向に複数組列設し、メダル供給ラインを設置台の遊技機の背面の上方に配置し、同供給ラインから各遊技機への補給路が設けられたものである、請求項１〜７いずれか記載の遊技機とメダル補給路との接続構造。
【発明の詳細な説明】
【技術分野】
【０００１】
本発明は、メダル・パチンコ球・コインあるいはその他の遊技可能とする移動性が高い小物の作動媒体（明細書・特許請求の範囲においてメダルと総称する）を使用して遊技する設置台上に置かれた遊技機と、メダルを搬送するメダル供給ラインから遊技機内部のメダルホッパーへ補給する補給路との接続構造であって、設置した遊技機を新しい遊技機に交換する際の補給路の接続変更作業を不要とする技術に関する。遊技場における多数の遊技機へのメダル補給する構造として有用な技術である。
【背景技術】
【０００２】
従来の遊技場の島の設置台上に列設された多数の遊技機へのメダル補給は、図３５，３６に示すように島の巾方向の中央にメダルを搬送する共通の供給ラインを設け、列設した遊技機のハウジングの背面に補給口を開口し、供給ラインのメダルを取り込んで各遊技機内に送る補給路を設け、補給路の先端部は剛性がある補給ノズルとなっていて遊技機の背面の補給口を介してその内部のメダルホッパーへのメダル落下位置まで延びている。補給ノズルの取付基端部から少し上方から供給ラインまでの分岐部分は管がフレキシブルとなって、補給ノズルの位置及び向きを変更可能としている。補給ノズルは補給口から遊技機内部へ挿入して所定の下向きの姿勢に調整された後、補給ノズルの上方位置に取付けたノズル固定板１００をビス・ネジ等で遊技機の背面に固定して補給ノズルを保持している。そして、遊技機は定期的・不定期的に交換される。この遊技機の交換作業の際に遊技機の背面からノズル固定板のビス・ネジ等を取り外してから補給ノズルを遊技機の背面の補給口から引出した後に遊技機を設置台から取り除き、新しい遊技機を設置台上の位置規制枠体の所定位置に設置後、補給ノズルを新しい遊技機Ｐの背面ＰＢの補給口ＰＯへ下向きに挿入し、前記ノズル固定板１００を補給口ＰＯ近くの背面にビス・ネジ等に固定していた。
【０００３】
このように、遊技機Ｐの交換の作業はノズル固定板１００からビス・ネジ等の取り外しの作業、補給ノズル２１の遊技機Ｐの背面の補給口ＰＯからの引出し作業、設置していた遊技機Ｐの設置台ＳＴ上からの排除作業、新しい遊技機Ｐの設置台ＳＴ上への設置移動作業、補給ノズル２１の補給口ＰＯへの挿入作業、補給ノズル２１のノズル固定板１００を遊技機Ｐの背面ＰＢにビス・ネジによる止着する止着作業を必要として、遊技機Ｐの交換作業は手間時間のかかる作業であった。しかも、ノズル固定板１００のビス・ネジの取り外し作業、及び固着作業は背面を向い合せた遊技機Ｐの背面間空間での設置台中央での狭い場所での作業となるため、煩わしい時間のかかる作業であった。しかも、島には数十台の遊技機があり、島単位で遊技機を交換するのは大きな手間労力が必要な面倒な作業であった。
【０００４】
更に、遊技機Ｐの背面ＰＢの補給口ＰＯの高さ・左右の位置とその補給口の寸法が遊技機Ｐの機種毎又はメーカー毎に異なることがあり、その場合交換する遊技機Ｐの機種・メーカー毎の補給ノズルの保持位置の変更作業が必要となり、遊技機Ｐの交換作業が更に面倒で手間時間がかかるものとなっていた。
【０００５】
又、これとは別に特許文献１にはメダル補給路の下部シュートの下方に遊技機の背面に設けたシュート状メダル受入口を設置させて、メダル補給路の下部シュートから落下するメダルをメダル受入口で受け入れて、遊技機内部のメダルホッパーへ送る構造としている。この構造であれば、下部シュートとメダル受入口が上下に正しく対向していずにズレがある場合は、下部シュートから吐出されるメダルがメダル受入口に入らずにその外周に零れて設置台上・下方の遊技機の関連器具・配線・配管の間に落下し、その落下メダルの回収に手間時間がかかり、後作業が必要となる。更に、落下メダルが電気ショートを生起する可能性もある。
【０００６】
この下部シュートとメダル受入口の配置位置エラーは、遊技機の交換時に作業ミスとして発生する恐れがあった。又、遊技機の機種・外形状・寸法が違う場合でも補給路側下部シュートと遊技機背面のメダル受入口との位置ズレを生起し、正常にメダルを遊技機内へ送られず外側にメダルを落下して散乱させることが生じる。従って、遊技機の交換作業において下部シュートとメダル受入口の位置調整作業を必要としていて、それに労力と時間がかかるものとなっていた。
【先行技術文献】
【特許文献】
【０００７】
【特許文献１】特開２０１２−１３５４２４号公報
【発明の概要】
【発明が解決しようとする課題】
【０００８】
本発明が解決しようとする課題は、遊技機とメダルの補給路との接続構造の問題点を解消し、遊技機をその設置台の所定の設置位置からの排除の移動作業と、新しい遊技機の設置位置までの移動作業だけで自動的に補給ノズルの遊技機の背面の補給口からの離脱と挿入下向き設定が出来て、補給ノズルの手作業による遊技機の背面の補給口からの排出・挿入及びノズル固定板のビス・ネジの取り外し作業・固着作業が不要にでき、遊技機の交換作業が大巾に短時間で且つ容易に行える遊技機のメダル補給路との接続構造を提供することにある。
更に、遊技機の機種・メーカー毎に背面の補給口の位置・寸法が異なっても、簡単に対応の操作が行えるものとすることにある。
【課題を解決するための手段】
【０００９】
かかる課題を解決した本発明の構成は、
１）  設置台上にメダルを用いる遊技機の設置の左右位置を規制する左右面板と，設置の前後位置を規制する背面板と，底面板とを備えた前面を開放した位置規制枠体を固設し、前記位置規制枠体の背後上方位置にメダルを遊技機へ供給するメダル供給ラインを設け、遊技機のハウジングの背面にメダルを取り込むための補給口を開口した遊技機を前面から位置規制枠体内に深く嵌合して遊技機を所定の設置位置に設置し、前記メダル供給ラインのメダルを設置された遊技機内のメダルホッパーへ送り込むメダル補給路を設け、同メダル補給路の先端部には遊技機の背面の前記補給口から挿入されてその先端に遊技機内のメダルホッパーへメダルを吐出するノズル口を有する補給ノズルを取付けていて、同補給ノズルのメダル補給路との取付基端部を前記位置規制枠体の後方位置で安定的に支持する支持構造体を設置台上に設け、
しかも同支持構造体は支持する補給ノズルの前記取付基端部の位置を上下高さ調整可能に且つ左右位置調整可能に支持でき、更に前記取付基端部と支持構造体との取付構造は補給ノズルの前記補給口から挿入される挿入部分の方向が略水平と斜め下向に変向可能な構造とし、遊技機が位置規制枠体に深く嵌合されず遊技機がその設置位置にない状態では補給ノズルの挿入部分は設置台の設置面と平行な略水平となるように保持され、遊技機の設置台上での前後移動に対して前記略水平な挿入部分は遊技機の背面の補給口の内側で略水平に出入でき、前記取付構造は遊技機が位置規制枠体に深く嵌合した設置位置にある状態では遊技機のハウジングの背面の一部が前記取付基端部又は補給ノズルの基端部分を押圧して補給ノズルの挿入部分の挿入方向を斜め下向きにしてノズル口からのメダルがメダルホッパーへ吐出できる下向きの角度に変向する構造とし、加えて前記位置規制枠体に深く嵌合された状態の遊技機をその設定位置から前方に引出されないように遊技機の移動を防止する固定手段を備え、
設置台上の遊技機の交換作業において固定手段を解除して遊技機を位置規制枠体の深い嵌合から外れた状態にすると補給ノズルの挿入部分が補給口に対して略水平に挿入される状態となって、補給ノズルの挿入部分が遊技機の補給口の口縁外周と接触することなく遊技機を前後移動できて交換作業を容易としたことを特徴とする、遊技機とメダル補給路との接続構造
２）  前記支持構造体の構造及び取付基端部との取付構造が、設置台に立設した左右の一対の主柱と，同主柱に沿って上下摺動して所定高さで係止できる上下カーソルと，左右の主柱の同じ高さの位置の各上下カーソル間を連接する水平部材と，同水平部材に沿って摺動して所定左右位置で係止できる左右スライド台と，補給ノズルの前記取付基端部とその上流側補給路部分とを傾斜状態で固着する取付ベースと，同取付ベースを前記左右スライド台に弾支状態にするバネ材とから構成され、取付ベースが遊技機のハウジングの背面の一部から加圧されない状態では前記バネ材は補給ノズルの挿入部分を略水平になるように保持し、しかも遊技機が位置規制枠体に深く嵌合する位置では同遊技機のハウジングの背面の一部が前記バネ材を加圧して、取付基端部及び取付ベースを傾斜状態から垂直方向に回動させて補給ノズルの挿入部分を斜め下方に傾いた状態にしてメダルを吐出できる構造とする、前記１）記載の遊技機とメダル補給路との接続構造
３）  前記水平部材が左右の上下カーソルと間で前後方向に所定範囲移動可能に取付けられ、しかも前記水平部材の左右端部と上下カーソルの間に前記水平部材を前方へ付勢するスライド用バネ材を介在させ、更に前記取付基端部の前部に遊技機のハウジングの背面の加圧を受け止める受圧板を取付けて、前記取付基端部の取付構造が遊技機側の加圧で破損することなく滑らかに回動できる構造とした、前記２）記載の遊技機とメダル補給路との接続構造
４）  支持構造体が設置位置規制枠体の後部に連結され一体化された、前記１）〜３）いずれか記載の遊技機とメダル補給路との接続構造
５）  主柱が断面コ字状のチャンネル材で、同主柱の前面部に所定ピッチで係止孔とその高さを示す目盛を設け、主柱の係止孔に爪先が挿入して上下カーソルを係止できる係止爪を係止孔に挿入する方向にバネで付勢するように上下カーソルの外面に軸支した、前記１）〜４）いずれか記載の遊技機とメダル補給路との接続構造
６）  固定手段が、遊技機の上方にある島の梁部材に垂直なねじ軸を軸着し、同ねじ軸を回転させてその下端を下方へ移動させて遊技機の天井面に圧接させることで遊技機の前方移動を防止し、前記ねじ軸を反対方向に回転させると遊技機の前方移動を可能とする構造である、前記１）〜５）いずれか記載の遊技機とメダル補給路との接続構造
７）  固定手段が、前記支持構造体の上部に一端が連結されて前方に折曲してその前面が遊技機の天井面の上方に延びた係止板を設け、同係止板の前面に垂直なねじ軸を軸着し、同ねじ軸を回転させてその下軸を下方へ移動させて遊技機の天井面に圧接させることで遊技機の前方移動を防止し、前記ねじ軸を反対方向に回転させると遊技機の前方移動を可能とする構造である、前記１）〜５）いずれか記載の遊技機とメダル補給路との接続構造
８）  前記設置台が遊技場の複数の遊技機を列設する島の機器設置用の長い設置台であり、同設置台の前後それぞれの側に背中合せに配置した遊技機を島の長手方向に複数組列設し、メダル供給ラインを設置台の遊技機の背面の上方に配置し、同供給ラインから各遊技機への補給路が設けられたものである、前記１）〜７）いずれか記載の遊技機とメダル補給路との接続構造
にある。
【発明の効果】
【００１０】
本発明によれば、設置台上に固設した位置規制枠体に遊技機が嵌合されてない状態及び遊技機のハウジングが位置規制枠体の設定位置まで深く挿入されていない状態では補給ノズルの挿入部分は略水平状態にあり、遊技機を位置規制枠体から前方に移動させても補給ノズルの挿入部分は遊技機の背面の補給口の内側にあって、遊技機が前方移動しても補給ノズルの挿入部分が遊技機の背面の口縁面に係止して遊技機の前方移動の支障となることなく、遊技機を補給路を残して設置台前方へ移動して、使用していた遊技機を設置台外へ運んで排除でき、使用していた遊技機が排除されると補給ノズルの挿入部分は略水平状態に保持されたまま残る。次の交換する遊技機の背面の補給口の位置・寸法が前の遊技機のものと同じであれば、新しい遊技機を設置台上の位置規制枠体に前方から嵌入してその深い位置まで移動すると補給ノズルは新しい遊技機の背面の補給口にそのまま挿入され、深い嵌合位置まで嵌入される。新しい遊技機のハウジングの一部が取付基端部・取付ベースを加圧して補給ノズルの取付基端部及び取付ベースが回動して補給ノズルの挿入部分を下向けに変向して、補給ノズルのノズル口からのメダルを遊技機内のメダルホッパーへ落下させてメダルを補給できるようになっている。
【００１１】
このように、使っていた遊技機は設置台の位置規制枠体から前方へ引き出すことで補給ノズルと接触することなく遊技機を排除でき、又新しい同じ補給口の遊技機は設置台上の位置規制枠体に前方へ押し込んで深く嵌合させれば補給ノズルを遊技機内に挿入し、最後は補給ノズルを下向きにしてメダル補給を可能状態までできる。
【００１２】
又、新しい遊技機の補給口の位置・寸法が違う場合は、使用した遊技機を排除すると支持構造体が前面に露われるので、設置台の前方から補給ノズルの取付基端部又はこれを取付けた取付ベースの上下高さ・左右位置を調整することができ、補給ノズルの挿入部分が新しい遊技機の背面の補給口の内側になるように調整できる。この調整作業は前面が開放された設置台上の作業であるので、設置台の前方から作業員が簡単で迅速に行える作業である。この調整後に新しい遊技機を位置規制枠体内に嵌入して深い嵌合位置まで移動させれば、遊技機の背面が取付基端部・取付ベースを押圧して挿入した補給ノズルの挿入部分を下向きにでき、直ちに使用可能となる。
【００１３】
このように、補給口の位置・寸法が違うものでも簡単に遊技機の交換作業が容易迅速にできる。
【図面の簡単な説明】
【００１４】
【図１】図１は実施例の遊技場における島での設置台上の遊技機の設置状態を示す説明図である。
【図２】図２は図１の設置状態から遊技機を引き出して排除した状態を示す説明図である。
【図３】図３は図２で上方の幕板右の貸機を省略した状態の位置規制枠体と、支持構造体及び補給路と補給ノズルの状態を示す斜視図である。
【図４】図４は実施例の要部構造を示す斜視図である。
【図５】図５は実施例の要部構造の分解斜視図である。
【図６】図６は実施例の位置規制枠体と支柱の連結状態を示す分解斜視図である。
【図７】図７は実施例の位置規制枠体と支柱との連結状態を示す斜視図である。
【図８】図８は実施例の左側上下カーソルを示す斜視図である。
【図９】図９は実施例の右側上下カーソルを示す斜視図である。
【図１０】図１０は実施例の左側上下カーソルの分解斜視図である。
【図１１】図１１は実施例の左右の上下カーソルとこれらを連接した水平部材との連結状態を示す斜視図である。
【図１２】図１２は実施例の水平部材に後方への加圧力が加わった場合の水平部材の後方への移動を示す説明図である。
【図１３】図１３は実施例の水平部材の左右の上下カーソルに取付ける構造を示す分解斜視図である。
【図１４】図１４は実施例の水平部材の左右スライド台と取付ベースとの取付構造を示す斜視図である。
【図１５】図１５は図１４に示す左右スライド台と取付ベースの取付構造の分解斜視図である。
【図１６】図１６は図１４に示す取付構造の前方からの矢視の斜視図である。
【図１７】図１７は実施例の左右スライド台と取付ベースを示す分解斜視図である。
【図１８】図１８は実施例の補給ノズルの高さ調整をしている状態を示す斜視図である。
【図１９】図１９は実施例のスロットル機である遊技機のハウジングの背面の補給口の高さを確認する状態を示す斜視図である。
【図２０】図２０は実施例の遊技機を設置する前の状態を示す説明図である。
【図２１】図２１は実施例の遊技機を位置規制枠体の中間まで嵌入した状態の説明図である。
【図２２】図２２は実施例の遊技機を位置規制枠体に深く嵌合して設置位置となった状態を示す説明図である。
【図２３】図２３は実施例の遊技機を設置した状態を示す説明図である。
【図２４】図２４は実施例の遊技機の固定手段の固定用ねじ軸を示す分解斜視図である。
【図２５】図２５は実施例の遊技機の固定用ねじ軸の斜視図である。
【図２６】図２６は実施例の遊技機を主柱に取付けた係止板で連結して固定する固定手段の例を示す斜視図である。
【図２７】図２７は実施例の遊技機を係止板で固定する固定手段の構造を示す分解斜視図である。
【図２８】図２８は実施例の補給ノズルの取付基端部と支持構造体との取付構造及び遊技機の係止板による固定構造を示す説明図である。
【図２９】図２９は実施例の遊技機を係止板に立設した長いねじ軸で遊技機の前方移動を防止する固定手段の例を示す説明図である。
【図３０】図３０は実施例の係止板による遊技機の固定作業を示す説明図である。
【図３１】図３１は本発明の遊技機の天井面に立設した長いねじ軸による前方移動を防止する固定手段例を示す説明図である。
【図３２】図３２は図３１の長いねじ軸による取付構造を示す分解斜視図である。
【図３３】図３３は本発明の図３１，３２の長いねじ軸の斜視図である。
【図３４】図３４は図３１，３２，３３に示す固定手段例の遊技機との固定及び解放の操作を示す説明図である。
【図３５】図３５は従来の補給ノズルとそのノズル固定板と遊技機の背面の補給口との連結前の状態を示す説明図である。
【図３６】図３６は従来の補給ノズルを補給口に挿入してノズル固定板で遊技機の背面に取付けた状態を示す説明図である。
【発明を実施するための形態】
【００１５】
本発明は設置台に１〜２台の遊技機がある場合でも適用できる発明であるが、スロットル機の遊技機が島に多数台配置される遊技場における遊技機の交換作業に有益である。
本発明で、遊技機の背面の補給口の縦横寸法を寸法規格に大きく統一すれば、補給ノズルの上下・左右位置の調整量が少なく又は調整し直すことが不要にできることができ、遊技機の交換作業も迅速にできるようになる。しかし、補給口の面積をあまり広くすると遊技機内のメダルホッパーからのメダルの溢出又は補給されて落下したメダルが反射して補給口から外に零れでる可能性もあり、適切な寸法のものに設定する。しかし、補給口を大きく規定した上で補給ノズルの挿入部分の長さを長めにすれば、前記メダルの溢出・反射零れも少なくでき、好ましい状態となると判断される。
【００１６】
本発明の支持構造体は、位置規制枠体と独立して設置台に設けてもよいし、実施例の如く支持構造体を設置台に固設した位置規制枠体と連結して安定して立設する構造としてもよい。
【００１７】
本発明では、遊技機を位置規制枠体に深く嵌合してその設置位置にした後は、遊技機を前方へ引き出しても動かないように遊技機の設置位置のロック手段・固定手段を設けることが好ましい。これは、遊技者が遊技機を勝手に前方に動かすことで、メダル補給の障害・メダル盗難を生起させないために必要であるからである。尚、固定手段は種々の方法があり、実施例はその一，二例である。
【００１８】
本発明において、遊技機のハウジング側の部材で補給ノズルの取付基端部を変向させる機構は、実施例のバネ材を使う以外に取付基端部を左右スライド台に対し常時は傾斜にして補給ノズルの挿入部分を略水平にし、遊技機側からの加圧で取付基端部を回動して先端の補給ノズルの挿入部分が下向きとなるようにできる機構・リンク機構でもよく、本発明の基本はこれも含むものである。
【実施例】
【００１９】
図１〜３４に示す本発明の実施例について、以下図面に基づいて説明する。
本実施例は、遊技場の島の長い設置台上にスロットル機の遊技機を背中合せに数十台列設させ、設置台の中央上方にメダル供給ラインを配置し、同メダル供給ラインのメダルを取り込む取り込み器を介して各遊技機へメダルを送り込むメダル補給路を設けている。遊技機から排出されるメダルは、設置台下方のメダル回収路へ送られている。
次に、実施例の支持構造体は正面（前方）の壁面に係止孔と高さの目盛を有する左右一対の主柱と、同主柱に沿って上下摺動して所定位置で係止爪で係止できる上下カーソルと、左右の上下カーソルを連接する水平部材と、同水平部材を５ｃｍ程前後に移動でき且つ前方に付勢する付勢手段と、水平部材に沿って摺動するスライド台と、同スライド台に板バネを介して補給路の補給ノズルの取付基端部とその上方の補給路部分を傾斜状態で把持する取付ベースとから構成されている。そして、この支持構造体は設置台に固定された位置規制枠体にネジで連結されて安定的に立設されている。そして、遊技機が位置規制枠体に深く嵌合された設置位置において、遊技機の前後移動をロックする固定手段が設けられている。固定手段として、支持構造体の上部に連結された係止板を遊技機の天井面とネジで連結固定するタイプと、遊技機の天井面に立設したねじ軸を幕板側部材に係止するタイプの２タイプを提示した例である。
【００２０】
（符号の説明）
図１〜３４に示される符号について説明する。
Ｇは本発明の実施例の遊技機とメダル補給路との接続構造、Ｓは遊技場の島、ＳＴは同島Ｓの長い設置台、ＳＴ１は設置台ＳＴの台脚、Ｐはスロットル機である遊技機、Ｋは設置台ＳＴ上で遊技機Ｐの横に設置されるメダル貸機、Ｋ１はそのメダルシュート、ＰＨは遊技機Ｐのハウジング、ＰＢは遊技機ＰのハウジングＰＨの背面、ＰＯは同背面に開口された補給口、ＰＭＨは遊技機内のメダルホッパー、ＰＴはハウジングＰＨの天井面、ＭＰは島Ｓの上方のランプＬを取付けた幕板、Ｙ１は幕板ＭＰの下方の下梁、Ｙ２は同上梁、ＭＫは設置台ＳＴ下方に設けたメダル回収ライン、Ｌはランプである。
【００２１】
又、図中、１は設置台ＳＴの中間上方に設けたメダル供給ライン、１１はメダル供給ラインで搬送されるメダルを各遊技機Ｐへ送るメダル補給路２へ送り込むメダル取り込み器、２はメダル補給路、２１はメダル補給路２の先端部の剛性ある途中で水平から後斜めに折曲した補給ノズルであって、下向きに傾斜した上方の傾斜部２１０の先の下方は折曲して水平に延びた挿入部分２１１を有し、挿入部分２１１の先端にはメダルを吐出するノズル口２１２を有している。２１３は補給ノズル２１の上方位置に設けられて取付ベース６４に固着される取付基端部、２２は同取付基端部に取付けられ補給ノズル２１の上方に接続されたメダル補給路２を形成する上方が断面長円状に径が大きく拡径した拡径補給部、２３はメダル取り込み器１１と前記拡径補給部２２との間の補給路で変形変位容易な蛇腹ホースで形成されて下部が拡径補給部２２内へ挿入されたフレキシブル補給部、２４は取付基端部２１３の前方に傾斜状に取付けられた受圧板である。
【００２２】
又、図中、３は位置規制枠体で、３１はその左面板、３２はその右面板、３３はその背面板、３４はその底面板であって、４個所の皿ネジ孔に皿ネジによって設置台ＳＴに固定されている。３５は遊技機ＰのメダルホッパーＰＭＨからのオーバーフローしたメダルを設置台ＳＴ下方のメダル回収ラインＭＫへ送るメダル回収管等を配装するための設置台ＳＴと底面板３４に設けた開口部、３６は位置規制枠体３を設置台ＳＴに固定する木ネジである（図３，４，５，６，７参照）。
【００２３】
図中、４は支持構造体で、４１は左右あるＣチャンネルを使った主柱、４１１は同主柱の前方に面した正面に設けた係止孔、４１２は同係止孔の高さの目盛、４１３は同主柱を位置規制枠体３に連結するネジである。又、４２は左右ある主柱４１それぞれに取付けられて上下摺動する左右ある上下カーソル、４２１は同上下カーソル外面にその中間を枢支されて取付けられた係止爪、４２２は同係止爪の先端の爪で、主柱４１の係止孔４１１に嵌入して上下カーソル４２を固定させる。４２３は係止爪４２１の爪４２２を係止孔４１１方向へ付勢するスプリング、４２４は係止爪４２１の枢支軸、４２５は同枢支軸の軸受部、４２６は水平部材５の左右端の折曲片５１を嵌入して水平部材５を短い寸法であるが前後にスライド自在にするためのスライド溝、４２７は水平部材５の抜止め防止板、４２８は同抜止め防止板を上下カーソル４２に連結するネジである（図８〜１２参照）。
【００２４】
図中、５は左右の上下カーソル４２を連接する縦板状の水平部材、５１は同水平部材の左右端それぞれに設けた折曲片であって、各折曲片は上下カーソル４２のスライド溝４２６と抜止め防止板４２７との間に差し込まれて係止されている。５２は水平部材５の中央上部に設けたスリット孔、５３はへ字状に折曲した形状を有し、一端を上下カーソル４２にネジ５２１で固着され、折曲した自由端は水平部材５を前方に付勢するようにするための板バネ材である（図１１〜１３参照）。
【００２５】
図中、６は水平部材５に取付けられて水平部材５に沿って左右摺動して所定位置で固定できるスライド台、６１は水平部材５の上端部を挿入するスライド溝、６１１は所定の左右位置でスライド台６を水平部材５に固定するネジ、６２はスライド台６の前面にネジ６２１で固着されたバネ板、６２１は同バネ板６２を固着するネジ、６４は同バネ板６２に取付けられた左部材６４１と右部材６４２とこれらをバネ板６２に固着するネジ６４３とから構成される取付基端部２１３の取付ベース、左部材６４１，右部材６４２には取付基端部２１３の左右端を把持する係合面６４１１，６４２１が設けられていて、取付基端部２１３を左右の係合部材６４１，６４２に係合させてネジ６４４で固着している（図１５，１６，１７，１８参照）。
【００２６】
遊技機Ｐの位置規制枠体３に深く嵌合した設置位置の固定手段を図２３，２４，２５，２６，２７，２８，２９，３０，３１，３２，３３，３４に示している。
図中、図２３，２４，２５で示される符号７，７１，７２，７３，７４の構造からなる固定手段の一例で、７は下端が遊技機Ｐの天井面ＰＴと圧接して係止して同天井面ＰＴの上方に立設される短いネジ軸、７１は同ネジ軸を保持し島の下梁Ｙ１に固着される天井取付プレート、７２は同天井取付プレートの固着用木ネジ、７３はネジ軸７の外周ストッパ、７４はネジ軸７の下部の螺合部である。
図２６，２７，２８，２９，３０は別の固定手段の例であり、８は主柱４１の上部にネジ８２ａで取付けられた２段折曲した係止板、８１は同係止板の上段折曲面に垂直なネジ８２で固定されるストッパ、８２は垂直なネジ、８２ａはネジ、８２ｂは係止板８に溶着された螺合部であって、ストッパ８１,ネジ８２は島の下梁Ｙ１と当って遊技機Ｐの前方移動を防止する。
図３１，３２，３３，３４は更に別の固定手段の例であり、島Ｓの下梁Ｙ１の後部下面に木ネジ８６で取付プレート８３を取付け、同取付プレートの後方位置に溶着したネジ受部８４ａに長い垂直のねじ軸８５を螺合して、ねじ軸８５の下端を遊技機Ｐの天井面ＰＴに圧接させている。このねじ軸８５の外周に小径の長筒８４を嵌装させている。この長筒８４が島Ｓの上梁Ｙ２と下梁Ｙ１で係止されることで、遊技機Ｐの前方の移動を停止させている。遊技機Ｐの引出し作業時には幕板ＭＰの位置にある扉板９０を開放して、ねじ軸８５を逆方向に回転するとねじ軸８５の圧接が失われ、遊技機Ｐの移動が可能となる。
９０は幕板ＭＰの上方で螺着して開閉できる扉板である。
【００２７】
実施例の遊技場の島Ｓには、図１に示すように遊技機Ｐと貸機Ｋが設置台ＳＴ上に多数台列設されている。図２に、その設置台ＳＴから１台の遊技機Ｐを取り外した状態を示す。尚、貸機ＫのメダルシュートＫ１は回転され、遊技機Ｐの出入れの支障ないようにしている。
【００２８】
この状態では、図２，３に示すように位置規制枠体３の左面板３１，右面板３２，底面板３４，背面板３３が露出している。又、補給ノズル２１の挿入部分２１１が水平に前方に突出するようになっている。又、その後方の支持構造体４及び取付ベース６４も露出して、上下カーソル４２，スライド台６，取付ベース６４の上下位置・左右位置を変えて、補給ノズル２１の取付基端部２１３は位置調整可能となっている。
【００２９】
遊技機Ｐのメダルは、設置台ＳＴの中央上方に設けたメダル供給ライン１から搬送されているメダルをメダル取り込み器１１によって、所定枚数メダル補給路２に取り込んでいる。メダル補給路２のメダルは、フレキシブル補給部２３，拡径補給部２２，取付基端部２１３，補給ノズル２１，ノズル口２１２を介して遊技機Ｐ内のメダルホッパーＰＭＨへ送られる。
【００３０】
使用時は、遊技機Ｐはその位置規制枠体３に深く嵌合された状態であり、遊技機Ｐの背面ＰＢが受圧板２４に圧接して垂直にしてその取付基端部２１３，取付ベース６４とも前下方向に傾いた状態から垂直状態に近くなる。これによって、取付基端部２１３に取付けていた補給ノズル２１の挿入部分２１１は下向きとなって、メダルホッパーＰＭＨへメダルを吐出する。これが使用状態である。補給ノズル２１の取付基端部２１３を取付ける取付ベース６４とスライド台６との間に介在するバネ板６２及び水平部材５の板バネ材５３は遊技機Ｐが設置位置の深い嵌合状態では、その背面ＰＢが取付基端部２１３の前方の受圧板２４を加圧してバネ板６２及び板バネ材５３を圧縮して、取付基端部２１３及び取付ベース６４を傾斜状態から垂直状態に変向する。これによって、取付基端部２１３に取付けられていた補給ノズル２１の挿入部分２１１は回転して下向きとなる。バネ板６２，板バネ材５３は取付基端部を斜めから垂直に破損することなく、円滑に回動させることに寄与する。
【００３１】
（遊技機の交換作業する場合）
遊技機Ｐを設置台ＳＴから取り出す前に遊技機Ｐの固定手段を解除操作で非固定状態にする。その手順は、図２２〜３４に示す固定方法のタイプの構造に従って後述するような操作で解除する。
【００３２】
この固定手段は、遊技者が勝手に遊技機Ｐを前方へ移動し、内部のメダルホッパーのメダルの盗難されることを防ぐため及び前方に移動した状態ではメダルが正常にメダルホッパーへ移動しない可能性があるので、それを防ぐためである。
【００３３】
遊技機Ｐの固定手段の解除作業後、遊技機Ｐの交換作業は設置していた前の遊技機Ｐを位置規制枠体３から前方へ引出すだけで遊技機Ｐを設置台ＳＴの前方へ引出させる。遊技機Ｐを少し前方に引出すと、遊技機Ｐの背面ＰＢが受圧板２４，取付基端部２１３，取付ベース６４から離れると、バネ板６２及び板バネ材５３の付勢力が働いて、加圧がない自然状態では取付基端部２１３，取付ベース６４が後方に傾斜する状態となり、その取付基端部２１３が後方に傾斜すると補給ノズル２１の先端の折曲した挿入部分２１１は自動的に略水平に戻される。この略水平状態では補給ノズル２１の挿入部分２１１は遊技機Ｐの補給口ＰＯの内側にあって、遊技機Ｐが前後移動しても挿入部分２１１が補給口ＰＯの口縁・その外周口縁面と接触して係止することがない。
【００３４】
よって、遊技機Ｐを少し前方に移動すると補給ノズル２１の挿入部分２１１は略水平となって、遊技機Ｐを前方に引出しても何ら支障なく引出せる。口外周壁と接触なく遊技機Ｐを前方へ移動できる。その結果を図２，３，２０，２１に示している。
【００３５】
次に、新しい遊技機Ｐを排除された前の遊技機Ｐの位置に新しい遊技機を設置する交換作業について説明する。
交換する新しい遊技機Ｐの補給口ＰＯの位置・寸法・メダルホッパーＰＭＨの位置・寸法が前に設置した遊技機Ｐと同じ場合では、そのまま新しい遊技機Ｐを位置規制枠体３の前方から深く嵌合するようにそのまま奥の方へ移動すれば、補給ノズル２１の挿入部分２１１は補給口ＰＯ内に挿入されていく。深く嵌合すると、遊技機Ｐの背面ＰＢが取付基端部２１３の前方に取付けた受圧板２４を押してバネ板６２及び板バネ材５３を加圧して圧縮し、取付ベース６４，取付基端部２１３は遊技機Ｐの背面ＰＢで押圧されて、垂直に近い状態となる（図２０，２１，２２参照）。
これによって、取付基端部２１３は加圧される前の傾斜状態（図２，３，４参照）から図２２に示すように垂直に近い姿勢に回動され、取付基端部２１３に取付けていた補給ノズル２１の先端の挿入部分２１１は下向きに傾斜状態となる。
即ち、遊技機Ｐが深く嵌合すると水平であった補給ノズル２１の挿入部分２１１は遊技機Ｐ内に挿入された状態で下向きとなる。
よって、この挿入部分２１１のノズル口２１２から吐出されるメダルはメダルホッパーＰＭＨへ正常に落下して送られるようになる。
【００３６】
その後、遊技機Ｐを固定手段を使用して設置台ＳＴ上で固定させる。この状態が遊技機Ｐの使用状態となる。
【００３７】
（新しい遊技機Ｐの補給口ＰＯが前に設置していた遊技機Ｐの補給口ＰＯの位置・寸法が違う場合の交換の手順）
この場合は、前の遊技機Ｐを設置台ＳＴから引き出した状態（図２，３の状態）とした後、その後方の露出した支持構造体４の左右ある上下カーソル４２の高さ及びスライド台６の左右位置を調整する。左右の上下カーソル４２の上下高さ調整は、係止爪４２１の爪４２２を係止孔４１１から引き出して目盛４１２を使用して上下所定高さにして係止爪４２１の爪４２２をその目盛４１２の係止孔４１１へスプリング４２３を使って係止させる。
次に、スライド台６は固定していたネジ６２１を緩めてスライド台６を水平部材５に沿って動かして、補給ノズル２１の挿入部分２１１が補給口ＰＯの中心部となるようにスライド台の左右位置を調整し、ネジ６２１でその位置を固定する。
このように、補給ノズル２１の挿入部分２１１を遊技機Ｐの補給口ＰＯの略中心部で略水平となるように取付基端部２１３の上下左右位置を調整する。
【００３８】
その調整後に、新しい遊技機Ｐをその位置規制枠体３に深く嵌合すれば、挿入部分２１１は水平状態で新しい遊技機Ｐの補給口ＰＯの中心部に挿入され、深く嵌合した時点で挿入部分２１１は下向きとなって正常にメダルをメダルホッパーＰＭＨへ送り出せる状態となる。
【００３９】
遊技機Ｐを位置規制枠体３に設置位置の深く嵌合の位置にして、メダルを遊技機Ｐに補給できるようにした後、固定手段を使用して遊技機Ｐをその深い嵌合位置に固定する。その固定手段として、３タイプの構造例を提供している。
【００４０】
図２３〜２５で示される固定手段は、島Ｓの下梁Ｙ１の後方下面に天井取付プレート７１を木ネジ７２で固着し、同天井取付プレート７１の後部にナットである螺合部７４を溶着し、この螺合部７４にネジ軸７を螺合している。ネジ軸７を廻してその下端を遊技機Ｐの天井面ＰＴに圧接して遊技機Ｐの移動を防止している。ネジ軸７の外周に外周ストッパ７３を設けている。この例では、下梁Ｙ１と天井取付プレート７１と外周ストッパ７３とネジ軸７は連結状態であり、ネジ軸７の圧接で遊技機Ｐを前方に移動できないようにしている。ネジ軸７を逆方向に廻せば圧接はなくなり、遊技機Ｐは前後方に移動可能となる。
【００４１】
図２６〜３０の固定手段では、ネジ８２ａで主柱４１に固着された係止板８の上面の垂直なネジ８２の圧接で遊技機Ｐの天井面ＰＴとは連結されているので遊技機Ｐは前に移動されないが、ネジ８２を緩めれば圧接は失われて連結は解かれて、遊技機Ｐは前後方向へ移動可能となる。ネジ８２と螺合する螺合部８２ｂは係止板８に溶着されている。
【００４２】
図３１〜３４の固定手段は下梁Ｙ１の後方下面に取付プレート８３を木ネジ８６で固着している。そして、この取付プレート８３の後方にネジ受部８４ａを溶着して固定している。このネジ受部８４ａに長いねじ軸８５を螺合している。同ねじ軸８５の外周に長筒８４を挿入している。従って、ねじ軸８５と長筒８４は、下梁Ｙ１及び上梁Ｙ２によって前方への移動を防止され固定されている。
このねじ軸８５を図３４に示すように回転させて、その下端を遊技機Ｐの天井面ＰＴに圧接させることで遊技機Ｐの前方移動を防止している。
遊技機Ｐを交換の為に前後方向に移動させる場合は、ねじ軸８５を逆方向に回転させれば、ねじ軸８５は持ち上って天井面ＰＴとの圧接は失われて、遊技機Ｐの移動を可能とする。
【００４３】
本実施例の固定手段は上記タイプ１〜３のものを必要に応じて選択している。この固定手段の解除は遊技場の管理者・従業員以外は操作できないような構造であり、遊技者が固定手段の固定状態を解除できないようにしている。
【産業上の利用可能性】
【００４４】
本発明は、スロットル機の遊技機で説明しているが、メダル・パチンコ球・コイン等を使用した他の娯楽機・物品販売機・券発行機等においても利用出来る。
【符号の説明】
【００４５】
Ｇ    実施例の遊技機とメダル補給路との接続構造
Ｐ    遊技機
ＰＭＨ    遊技機内のメダルホッパー
ＰＨ    遊技機のハウジング
ＰＢ    ハウジングの背面
ＰＯ    補給口
ＰＴ    ハウジングの天井面
Ｓ    島
ＳＴ    設置台
ＳＴ１    台脚
Ｋ    貸機
Ｋ１    メダルシュート
Ｌ    ランプ
ＭＰ    幕板
Ｙ１    下梁
Ｙ２    上梁
ＭＫ    メダル回収ライン
１    メダル供給ライン
１１    メダル取り込み器
２    メダル補給路
２１    補給ノズル
２１０    傾斜部（基端部）
２１１    挿入部分
２１２    ノズル口
２１３    取付基端部
２２    拡径補給部
２３    フレキシブル補給部
２４    受圧板
３    位置規制枠体
３１    左面板
３２    右面板
３３    背面板
３４    底面板
３５    開口部
３６    木ネジ
４    支持構造体
４１    主柱
４１１    係止孔
４１２    目盛
４１３    ネジ
４２    上下カーソル
４２１    係止爪
４２２    爪
４２３    スプリング
４２４    枢支軸
４２５    軸受部
４２６    スライド溝
４２７    抜止め防止板
４２８    ネジ
５    水平部材
５１    折曲片
５２    スリット孔
５２１    ネジ
５３    板バネ材
６    スライド台
６１    スライド溝
６１１    ネジ
６２    バネ板
６２１    ネジ
６４    取付ベース
６４１    左部材
６４２    右部材
６４３    ネジ
６４４    ネジ
６４１１，６４２１    係合面
７    ネジ軸
７１    天井取付プレート
７２    固着用木ネジ
７３    外周ストッパ
７４    螺合部
８    係止板
８１    ストッパ
８２    ネジ
８２ａ    ネジ
８２ｂ    螺合部
８３    取付プレート
８４    長筒
８４ａ    ネジ受部
８５    ねじ軸
８６    木ネジ
９０    扉板
１００    従来のノズル固定板
【図１】
2019050933.tif 000003
【図２】
2019050933.tif 000004
【図３】
2019050933.tif 000005
【図４】
2019050933.tif 000006
【図５】
2019050933.tif 000007
【図６】
2019050933.tif 000008
【図７】
2019050933.tif 000009
【図８】
2019050933.tif 000010
【図９】
2019050933.tif 000011
【図１０】
2019050933.tif 000012
【図１１】
2019050933.tif 000013
【図１２】
2019050933.tif 000014
【図１３】
2019050933.tif 000015
【図１４】
2019050933.tif 000016
【図１５】
2019050933.tif 000017
【図１６】
2019050933.tif 000018
【図１７】
2019050933.tif 000019
【図１８】
2019050933.tif 000020
【図１９】
2019050933.tif 000021
【図２０】
2019050933.tif 000022
【図２１】
2019050933.tif 000023
【図２２】
2019050933.tif 000024
【図２３】
2019050933.tif 000025
【図２４】
2019050933.tif 000026
【図２５】
2019050933.tif 000027
【図２６】
2019050933.tif 000028
【図２７】
2019050933.tif 000029
【図２８】
2019050933.tif 000030
【図２９】
2019050933.tif 000031
【図３０】
2019050933.tif 000032
【図３１】
2019050933.tif 000033
【図３２】
2019050933.tif 000034
【図３３】
2019050933.tif 000035
【図３４】
2019050933.tif 000036
【図３５】
2019050933.tif 000037
【図３６】
2019050933.tif 000038
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
設置台上にメダルを用いる遊技機を設置するとともに、前記設置台の前記遊技機の設置位置の左右位置を規制する左右面板と，前記設置位置の前後位置を規制する背面板と，底面板とを備えた前面を開放した位置規制枠体を前記設置台に固設し、前記位置規制枠体の背後上方位置にメダルを前記遊技機へ供給するメダル供給ラインを設け、前記遊技機のハウジングの背面にメダルを取り込むための補給口を開口した前記遊技機を前面から前記位置規制枠体内に深く嵌合して前記遊技機を所定の前記設置位置に設置し、前記メダル供給ラインのメダルを設置された前記遊技機内のメダルホッパーへ送り込むメダル補給路を設け、前記メダル補給路の先端部には前記遊技機の背面の前記補給口から挿入されてその先端に前記遊技機内の前記メダルホッパーへメダルを吐出するノズル口を有する補給ノズルを取付けていて、前記補給ノズルの前記メダル補給路との取付基端部を前記位置規制枠体の後方位置で安定的に支持する支持構造体を前記設置台上に設け、
しかも前記支持構造体は支持する前記補給ノズルの前記取付基端部の位置を上下高さ調整可能に且つ左右位置調整可能に支持でき、更に前記取付基端部と前記支持構造体との取付構造は前記補給ノズルの前記補給口から挿入される挿入部分の方向が略水平と斜め下向に変向可能な構造とし、前記遊技機が前記位置規制枠体に深く嵌合されず前記遊技機がその前記設置位置にない状態では前記補給ノズルの挿入部分は前記設置台の設置面と平行な略水平となるように保持され、前記遊技機の前記設置台上での前後移動に対して前記略水平な挿入部分は前記遊技機の背面の前記補給口の内側で略水平に出入でき、前記取付構造は前記遊技機が前記位置規制枠体に深く嵌合した前記設置位置にある状態では前記遊技機の前記ハウジングの背面の一部が前記取付基端部又は前記補給ノズルの基端部分を押圧して前記補給ノズルの挿入部分の挿入方向を斜め下向きにして前記ノズル口からのメダルが前記メダルホッパーへ吐出できる下向きの角度に変向する構造とし、加えて前記位置規制枠体に深く嵌合された状態の前記遊技機を前記設置位置から前方に引出されないように前記遊技機の移動を防止する固定手段を備え、
前記設置台上の前記遊技機の交換作業において前記固定手段を解除して前記遊技機を前記位置規制枠体の深い嵌合から外れた状態にすると前記補給ノズルの挿入部分が前記補給口に対して略水平に挿入される状態となって、前記補給ノズルの挿入部分が前記遊技機の前記補給口の口縁外周と接触することなく前記遊技機を前後移動できて交換作業を容易としたことを特徴とする、遊技機とメダル補給路との接続構造。
【請求項２】
前記支持構造体の構造及び前記取付基端部との取付構造が、前記設置台に立設した左右の一対の主柱と，前記主柱に沿って上下摺動して所定高さで係止できる上下カーソルと，左右の前記主柱の同じ高さの位置の前記の各上下カーソル間を連接する水平部材と，前記水平部材に沿って摺動して所定左右位置で係止できる左右スライド台と，前記補給ノズルの前記取付基端部とその上流側補給路部分とを傾斜状態で固着する取付ベースと，前記取付ベースを前記左右スライド台に弾支状態にするバネ材とから構成され、前記取付ベースが遊技機のハウジングの背面の一部から加圧されない状態では前記バネ材は前記補給ノズルの挿入部分を略水平になるように保持し、しかも前記遊技機が前記位置規制枠体に深く嵌合する位置では前記遊技機の前記ハウジングの背面の一部が前記バネ材を加圧して、前記取付基端部及び前記取付ベースを傾斜状態から垂直方向に回動させて前記補給ノズルの挿入部分を斜め下方に傾いた状態にしてメダルを吐出できる構造とする、請求項１記載の遊技機とメダル補給路との接続構造。
【請求項３】
前記水平部材が左右の前記上下カーソルと間で前後方向に所定範囲移動可能に取付けられ、しかも前記水平部材の左右端部と前記上下カーソルの間に前記水平部材を前方へ付勢するスライド用バネ材を介在させ、更に前記取付基端部の前部に前記遊技機の前記ハウジングの背面の加圧を受け止める受圧板を取付けて、前記取付基端部の取付構造が前記遊技機側の加圧で破損することなく滑らかに回動できる構造とした、請求項２記載の遊技機とメダル補給路との接続構造。
【請求項４】
前記支持構造体が前記位置規制枠体の後部に連結され一体化された、請求項１〜３いずれか記載の遊技機とメダル補給路との接続構造。
【請求項５】
前記主柱が断面コ字状のチャンネル材で、前記主柱の前面部に所定ピッチで係止孔とその高さを示す目盛を設け、前記主柱の前記係止孔に爪先が挿入して前記上下カーソルを前記主柱に係止できる係止爪を係止孔に挿入する方向にバネで付勢するように上下カーソルの外面に係止爪を軸支した、請求項２又は３記載の遊技機とメダル補給路との接続構造。
【請求項６】
前記固定手段が、前記遊技機の上方にある島の梁部材に垂直なねじ軸を軸着し、前記ねじ軸を回転させてその下端を下方へ移動させて前記遊技機の天井面に圧接させることで前記遊技機の前方移動を防止し、前記ねじ軸を反対方向に回転させると前記遊技機の前方移動を可能とする構造である、請求項１〜５いずれか記載の遊技機とメダル補給路との接続構造。
【請求項７】
前記固定手段が、前記支持構造体の上部に一端が連結されて前方に折曲してその前面に前記遊技機の天井面の上方に延びた係止板を設け、前記係止板の前面に垂直なねじ軸を軸着し、前記ねじ軸を回転させてその下端を下方へ移動させて前記遊技機の天井面に圧接させることで前記遊技機の前方移動を防止し、前記ねじ軸を反対方向に回転させると前記遊技機の前方移動を可能とする構造である、請求項１〜５いずれか記載の遊技機とメダル補給路との接続構造。
【請求項８】
前記設置台が前記遊技場の複数の前記遊技機を列設する島の機器設置用の長い設置台であり、前記設置台の前後それぞれの側に背中合せに配置した前記遊技機を前記島の長手方向に複数組列設し、前記メダル供給ラインを前記設置台の前記遊技機の背面の上方に配置し、前記供給ラインから各前記遊技機への前記メダル補給路が設けられたものである、請求項１〜７いずれか記載の遊技機とメダル補給路との接続構造。
【手続補正２】
【補正対象書類名】明細書
【補正対象項目名】０００９
【補正方法】変更
【補正の内容】
【０００９】
かかる課題を解決した本発明の構成は、
１）  設置台上にメダルを用いる遊技機を設置するとともに、前記設置台の前記遊技機の設置位置の左右位置を規制する左右面板と，前記設置位置の前後位置を規制する背面板と，底面板とを備えた前面を開放した位置規制枠体を前記設置台に固設し、前記位置規制枠体の背後上方位置にメダルを前記遊技機へ供給するメダル供給ラインを設け、前記遊技機のハウジングの背面にメダルを取り込むための補給口を開口した前記遊技機を前面から前記位置規制枠体内に深く嵌合して前記遊技機を所定の前記設置位置に設置し、前記メダル供給ラインのメダルを設置された前記遊技機内のメダルホッパーへ送り込むメダル補給路を設け、前記メダル補給路の先端部には前記遊技機の背面の前記補給口から挿入されてその先端に前記遊技機内の前記メダルホッパーへメダルを吐出するノズル口を有する補給ノズルを取付けていて、前記補給ノズルの前記メダル補給路との取付基端部を前記位置規制枠体の後方位置で安定的に支持する支持構造体を前記設置台上に設け、
しかも前記支持構造体は支持する前記補給ノズルの前記取付基端部の位置を上下高さ調整可能に且つ左右位置調整可能に支持でき、更に前記取付基端部と前記支持構造体との取付構造は前記補給ノズルの前記補給口から挿入される挿入部分の方向が略水平と斜め下向に変向可能な構造とし、前記遊技機が前記位置規制枠体に深く嵌合されず前記遊技機がその前記設置位置にない状態では前記補給ノズルの挿入部分は前記設置台の設置面と平行な略水平となるように保持され、前記遊技機の前記設置台上での前後移動に対して前記略水平な挿入部分は前記遊技機の背面の前記補給口の内側で略水平に出入でき、前記取付構造は前記遊技機が前記位置規制枠体に深く嵌合した前記設置位置にある状態では前記遊技機の前記ハウジングの背面の一部が前記取付基端部又は前記補給ノズルの基端部分を押圧して前記補給ノズルの挿入部分の挿入方向を斜め下向きにして前記ノズル口からのメダルが前記メダルホッパーへ吐出できる下向きの角度に変向する構造とし、加えて前記位置規制枠体に深く嵌合された状態の前記遊技機を前記設置位置から前方に引出されないように前記遊技機の移動を防止する固定手段を備え、
前記設置台上の前記遊技機の交換作業において前記固定手段を解除して前記遊技機を前記位置規制枠体の深い嵌合から外れた状態にすると前記補給ノズルの挿入部分が前記補給口に対して略水平に挿入される状態となって、前記補給ノズルの挿入部分が前記遊技機の前記補給口の口縁外周と接触することなく前記遊技機を前後移動できて交換作業を容易としたことを特徴とする、遊技機とメダル補給路との接続構造
２）  前記支持構造体の構造及び前記取付基端部との取付構造が、前記設置台に立設した左右の一対の主柱と，前記主柱に沿って上下摺動して所定高さで係止できる上下カーソルと，左右の前記主柱の同じ高さの位置の前記の各上下カーソル間を連接する水平部材と，前記水平部材に沿って摺動して所定左右位置で係止できる左右スライド台と，前記補給ノズルの前記取付基端部とその上流側補給路部分とを傾斜状態で固着する取付ベースと，前記取付ベースを前記左右スライド台に弾支状態にするバネ材とから構成され、前記取付ベースが遊技機のハウジングの背面の一部から加圧されない状態では前記バネ材は前記補給ノズルの挿入部分を略水平になるように保持し、しかも前記遊技機が前記位置規制枠体に深く嵌合する位置では前記遊技機の前記ハウジングの背面の一部が前記バネ材を加圧して、前記取付基端部及び前記取付ベースを傾斜状態から垂直方向に回動させて前記補給ノズルの挿入部分を斜め下方に傾いた状態にしてメダルを吐出できる構造とする、前記１）記載の遊技機とメダル補給路との接続構造
３）  前記水平部材が左右の前記上下カーソルと間で前後方向に所定範囲移動可能に取付けられ、しかも前記水平部材の左右端部と前記上下カーソルの間に前記水平部材を前方へ付勢するスライド用バネ材を介在させ、更に前記取付基端部の前部に前記遊技機の前記ハウジングの背面の加圧を受け止める受圧板を取付けて、前記取付基端部の取付構造が前記遊技機側の加圧で破損することなく滑らかに回動できる構造とした、前記２）記載の遊技機とメダル補給路との接続構造
４）  前記支持構造体が前記位置規制枠体の後部に連結され一体化された、前記１）〜３）いずれか記載の遊技機とメダル補給路との接続構造
５）  前記主柱が断面コ字状のチャンネル材で、前記主柱の前面部に所定ピッチで係止孔とその高さを示す目盛を設け、前記主柱の前記係止孔に爪先が挿入して前記上下カーソルを前記主柱に係止できる係止爪を係止孔に挿入する方向にバネで付勢するように上下カーソルの外面に係止爪を軸支した、前記２）又は３）記載の遊技機とメダル補給路との接続構造
６）  前記固定手段が、前記遊技機の上方にある島の梁部材に垂直なねじ軸を軸着し、前記ねじ軸を回転させてその下端を下方へ移動させて前記遊技機の天井面に圧接させることで前記遊技機の前方移動を防止し、前記ねじ軸を反対方向に回転させると前記遊技機の前方移動を可能とする構造である、前記１）〜５）いずれか記載の遊技機とメダル補給路との接続構造
７）  前記固定手段が、前記支持構造体の上部に一端が連結されて前方に折曲してその前面に前記遊技機の天井面の上方に延びた係止板を設け、前記係止板の前面に垂直なねじ軸を軸着し、前記ねじ軸を回転させてその下端を下方へ移動させて前記遊技機の天井面に圧接させることで前記遊技機の前方移動を防止し、前記ねじ軸を反対方向に回転させると前記遊技機の前方移動を可能とする構造である、前記１）〜５）いずれか記載の遊技機とメダル補給路との接続構造
８）  前記設置台が前記遊技場の複数の前記遊技機を列設する島の機器設置用の長い設置台であり、前記設置台の前後それぞれの側に背中合せに配置した前記遊技機を前記島の長手方向に複数組列設し、前記メダル供給ラインを前記設置台の前記遊技機の背面の上方に配置し、前記供給ラインから各前記遊技機への前記メダル補給路が設けられたものである、前記１）〜７）いずれか記載の遊技機とメダル補給路との接続構造
にある。